(57)【要約】【課題】取り扱いが簡単で、手に持って使用する際に負担を感じることがなく、且つ、氷かき作動に必要なトルクが容易に得られる手持ち型の氷かき器を提供すること。【解決手段】上面を開口して氷を収容可能な容器本体１と、容器本体１の底面１１に形成されたスリット９と、スリット９の口縁に沿って設けられたカッタ１０と、容器本体１の上面に着脱可能に構成された蓋体２と、蓋体２の上部に回転可能に設けられた把持部３と、容器本体１の底面１１側に付勢されるとともに、把持部３と連動して回転する回転体４とを備える。【選択図】図１
0003105445.tif 000002
【実用新案登録請求の範囲】
【請求項１】
上面を開口して氷を収容可能な容器本体と、前記容器本体の底面に形成された吐出口と、前記吐出口の口縁に沿って設けられた刃部と、前記容器本体の上面に着脱可能に構成された蓋体と、前記蓋体の上部に回転可能に設けられた把持部と、前記容器本体の底面側に付勢されるとともに、前記把持部と連動して回転する回転体と、を備える氷かき器。
【請求項２】
前記蓋体に形成された挿通孔を貫通して前記回転体に固定されるとともに、前記把持部に設けられた長孔内を移動可能に構成された長軸と、
前記長軸に外挿され、前記蓋体と前記回転体との間に配置されたスプリングと、を備える請求項１記載の氷かき器。
【請求項３】
前記把持部は、略半球体状の頭部と、前記頭部の下部に形成されたくびれ部と、からなる請求項１または２記載の氷かき器。
【請求項４】
前記回転体の回転方向を向いた係止面が、前記回転体の底面に突出して放射状に列設された請求項１〜３いずれかに記載の氷かき器。
【請求項５】
前記係止面よりも突出した爪部が、前記回転体の底面の前記係止面付近に配設された請求項４記載の氷かき器。
【請求項６】
前記回転体の底面には複数の前記爪部が設けられるとともに、少なくとも1つの前記爪部が、他の前記爪部と前記回転体の回転中心からの距離が異なる位置に配設された請求項５記載の氷かき器。
【請求項７】
前記容器本体の底面の縁沿いに脚部が周設された請求項１〜６いずれかに記載の氷かき器。
【請求項８】
前記把持部にハンドルが設けられた請求項１〜７いずれかに記載の氷かき器。
【考案の詳細な説明】
【技術分野】
【０００１】
本考案は手持ち型の氷かき器に関する。
【背景技術】
【０００２】
従来、氷かき器として、例えば下記特許文献１および２に開示されるものが知られている。しかし、これらは卓上型の氷かき器であるために、載置場所を確保する必要があるとともに持ち運びが煩雑になり、取り扱いが不便であった。
【０００３】
また、手持ち型の氷かき器として、下記特許文献３に開示されるものが提案されている。当該氷かき器は、氷かき作動を電動によって行うものであり、容器本体に電源や駆動部などが内蔵されている。従って、手に持って使用する際に負担を感じる程度の重みを有するおそれがあり、逆にそれらを簡略して軽量化を図ると、氷かき作動に必要なトルクを十分に得られなくなるおそれがあった。
【特許文献１】実公昭４９−２５７４２号公報
【特許文献２】実公昭４９−２７５１１号公報
【特許文献３】実開平５−２５２７５号公報
【考案の開示】
【考案が解決しようとする課題】
【０００４】
本考案は上記実情に鑑みてなされたものであり、その目的は、取り扱いが簡単で、手に持って使用する際に負担を感じることがなく、且つ、氷かき作動に必要なトルクが容易に得られる手持ち型の氷かき器を提供することである。
【課題を解決するための手段】
【０００５】
上記課題を解決するための本考案に係る氷かき器は、上面を開口して氷を収容可能な容器本体と、前記容器本体の底面に形成された吐出口と、前記吐出口の口縁に沿って設けられた刃部と、前記容器本体の上面に着脱可能に構成された蓋体と、前記蓋体の上部に回転可能に設けられた把持部と、前記容器本体の底面側に付勢されるとともに、前記把持部と連動して回転する回転体とを備える氷かき器である。
【０００６】
上記構成の氷かき器によれば、まず、容器本体に収容された氷が、容器本体の底面側に付勢された回転体によって押さえられる。回転体は、蓋体の上部に設けられた把持部に連動して、回転可能に構成されており、把持部を回転することで氷を回転させることができる。容器本体の底面には、吐出口と、吐出口の口縁に沿った刃部とが設けられており、氷を押さえながら回転させることでかき氷を製造することができる。当該氷かき器は、電源や駆動部が不要であるため本体が軽量となり、手に持って使用する際に負担を感じることがない。また、把持部は蓋体の上部に設けられており、容器本体を片手で持ちながらでも容易に把持部を回転させることができる。即ち、手持ち型の氷かき器として取り扱いが簡単であるとともに、把持部を回転させる際に効果的に力を加えることができるため、氷かき作動に必要なトルクが容易に得られる。
【０００７】
上記において、前記蓋体に形成された挿通孔を貫通して前記回転体に固定されるとともに、前記把持部に設けられた長孔内を移動可能に構成された長軸と、前記長軸に外挿され、前記蓋体と前記回転体との間に配置されたスプリングとを備えるものが好ましい。
【０００８】
上記構成によれば、容器本体内に収容された氷の量に応じて上下に移動し、且つ、容器本体の底面側に付勢された回転体を、簡単に構成することができる。
【０００９】
上記において、前記把持部は、略半球体状の頭部と、前記頭部の下部に形成されたくびれ部とからなるものが好ましい。
【００１０】
把持部が、略半球体状の頭部と頭部の下部に形成されたくびれ部とからなることにより、手の平がフィットし易くなり、作業者が把持部を把持し易くなる。これにより、取り扱いがより簡単になるとともに、把持部に効果的に力を加えることができるため、氷かき作動に必要なトルクが容易に得られる。
【００１１】
上記において  前記回転体の回転方向を向いた係止面が、前記回転体の底面に突出して放射状に列設されたものが好ましい。
【００１２】
回転体の回転方向を向いた係止面が、回転体の底面に突出して放射状に列設されていることにより、容器本体に収容された氷を効果的に押さえながら回転させることができる。即ち、回転体が氷を押さえる際に係止面が氷に食い込むとともに、氷を回転させる際に係止面が氷を係止するため、氷を強固に固定してかき氷を効果的に製造することができる。また、係止面が放射状に列設されていることにより、小型の氷であっても効果的に押さえて回転させることができる。
【００１３】
上記において、前記係止面よりも突出した爪部が、前記回転体の底面の前記係止面付近に配設されたものが好ましい。
【００１４】
回転体の底面に係止面よりも突出した爪部が設けられていることにより、大型の氷を効果的に固定することができる。また、爪部が係止面付近に配設されていることにより、氷を回転させるときに負荷がかかる箇所が特定されるため、回転体の補強が容易となる。
【００１５】
上記において、前記回転体の底面には複数の前記爪部が設けられるとともに、少なくとも1つの前記爪部が、他の前記爪部と前記回転体の回転中心からの距離が異なる位置に配設されたものが好ましい。
【００１６】
上記構成により、容器本体に収容される氷の大小に好適に対応することができる。即ち、氷が大型であっても小型であっても、回転体で効果的に押さえて回転させることができる。
【００１７】
上記において、前記容器本体の底面の縁沿いに脚部が周設されたものが好ましい。
【００１８】
容器本体の底面の縁沿いに脚部が周設されていることにより、容器本体の立て置きが可能となる。また、手に持って使用する際に氷片が周囲に飛散することを防ぐとともに、氷片をカップなどの容器に直接入れ易くなり、取り扱いが容易となる。
【００１９】
上記において、前記把持部にハンドルが設けられたものが好ましい。
【００２０】
上記構成により、把持部の回転が更に簡便になるとともに、把持部に効果的に力を加えることができるため、氷かき作動に必要なトルクをより容易に得ることができる。
【考案を実施するための最良の形態】
【００２１】
以下、本考案に係る氷かき器の好適な実施形態について図面を参照しながら説明する。図１は、本考案に係る氷かき器の縦断面図である。当該氷かき器は、大別して容器本体１と、容器本体１の上面に嵌合される蓋体２と、蓋体２の上部に設けられる把持部３とからなる。
【００２２】
容器本体１は、上面を開口した円筒形を呈し、かき氷の原料となる氷（氷塊）を収容可能に構成されている。容器本体１の底面１１には、略半径方向に延びるスリット９（前記吐出口に相当する。）が形成されているとともに、スリット９の口縁に沿ってカッタ１０（前記刃部に相当する。）が取り付けられている。底面１１の縁沿いには環状の脚部１２が周設されている。
【００２３】
図２に示すように、容器本体１の上面の縁沿いには段差が設けられ、その外周面には複数個の係合突起１３が周方向に所定のピッチで形成されている。一方、蓋体２の内周面の縁沿いには、係合突起１３に対応する複数個の係合突起２０が形成されている。係合突起２０は、係合突起１３のテーパ斜面と対向するテーパ斜面を有する。これにより、蓋体２を容器本体１に嵌合して所定ストローク回転させることで、係合突起１３と係合突起２０とが係合する。即ち、蓋体２は容器本体１の上面に着脱可能に構成される。
【００２４】
把持部３は、蓋体２の上部に設けられ、略半球体状の頭部１５と、頭部１５の下部に形成されたくびれ部１６とからなる。把持部３は略中空であり、上部有底の筒部材６がその中心に設置されている。把持部３の下面の縁沿いには、内周側に突出した環状の摺動部８が形成されている。摺動部８は、蓋体２上面に形成された環状突起２１と、上下方向に係合可能に構成されている。即ち、把持部３は、蓋体２上部に取り付けられるとともに、周方向に摺動して回転可能に構成されている。
【００２５】
容器本体１の内部には、氷を上から押さえる回転体４が配置されている。回転体４の底面には、図３に示すように、回転方向Rを向いた係止面１５が容器本体１の底面１１側に突出して設けられている。係止面１５は、略三角形の縦断面を有し、放射状に４列設けられている。また、回転体４には、ビス１６（前記爪部に相当する。）が螺合されており、その先端が係止面１５よりも突出している。ビス１６は、回転体４の係止面１５付近に配設されている。回転体４の上面には、列設された係止面１５に沿ってリブ１４が形成されている。リブ１４は、回転体４で氷を押さえて回転させる際に負荷がかかり易い、係止面１５およびビス１６が設けられた部分を補強するために設けられる。
【００２６】
本実施形態では、回転体４に４つのビス１６が螺合されている。但し、図３（ｂ）の上下に位置するビス１６と、同じく左右に位置するビス１６とは、回転体４の回転中心Ｃからの距離が異なる位置に配設されている。
【００２７】
回転体４の中心には、長軸５の軸端部１７が固定されている。長軸５は、図４に示すように、蓋体２の中心に形成された挿通孔２２を貫通し、軸端部１８には挿通孔２２よりも大径である軸頭部１９が形成されている。軸頭部１９は、横断面が矩形の両側に半円を付加した所謂トラック形を呈する柱状部材であり、把持部３に設置された筒部材６内に配置されている。筒部材６には、軸頭部１９の横断面に対応した横断面を有する長孔２３が形成されている。これにより、回転体４は、長軸５と一体に上下動可能に構成される。更に、長軸５に外挿され、蓋体２と回転体４との間に配置されたスプリング７により、回転体４が容器本体１の底面１１側に付勢される。また、長軸５の軸頭部１９が所謂トラック形を呈していることにより、把持部３、回転体４および長軸５が、一体に軸回りに回転可能に構成される。なお、把持部３や長軸５の軸頭部１９などの形状は、本実施形態に限られるものではない。
【００２８】
上記の氷かき器によれば、次に示す手順によって、かき氷を製造することができる。まず、容器本体１に氷（氷塊）を収容し、容器本体１の上面に蓋体２および把持部３を設置する。その際、長軸５が長孔２３内を上方向に移動し、回転体４が氷を押さえた状態となる。回転体４に設けられた係止面１５およびビス１６は、氷に食い込んだ状態となる。次に、把持部３を回転させると、それに連動して長軸５および回転体４が一体に回転する。氷は、係止面１５により回転方向に係止されているため、容易に回転させることができる。回転する氷は、容器本体１の底面１１側でカッタ１０により削られて、氷片がスリット９より下へ落下する。
【００２９】
［他の実施形態］
本発明の好ましい実施形態として、図５に示すように、把持部３にハンドル２４、２５５、２６が設けられたものが挙げられる。これにより、把持部３に効果的に力を加えることができるため、氷かき作動に必要なトルクをより容易に得ることができる。
【図面の簡単な説明】
【００３０】
【図１】本発明に係る氷かき器の縦断面図
【図２】容器本体上部および蓋体の側面図
【図３】回転体の側面視半断面図および底面図
【図４】蓋体、長軸および筒部材の一部破断斜視図
【図５】本発明の別形態に係る把持部の側面図
【符号の説明】
【００３１】
１      容器本体
２      蓋体
３      把持部
４      回転体
５      長軸
６      筒部材
７      スプリング
９      スリット
１０    カッタ
１１    容器本体の底面
１２    脚部
１５    係止面
１６    ビス
２２    挿通孔
２３    長孔
２４    ハンドル
２５    ハンドル
２６    ハンドル
【図１】
0003105445.tif 000003
【図２】
0003105445.tif 000004
【図３】
0003105445.tif 000005
【図４】
0003105445.tif 000006
【図５】
0003105445.tif 000007